【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされ、ゲームの試験を行う際に接続される試験装置からの試験用信号の入力に基づき自動的にゲームを行うことが可能なスロットマシンであって、
付与された遊技用価値の数を示す付与遊技用価値信号を前記試験装置に対して出力するための制御を行う付与遊技用価値信号出力制御手段と、
少なくともいずれか１つの可変表示領域の表示結果が導出される前に、入賞の発生を許容するか否かを決定する事前決定手段と、
導出操作を示す試験用導出操作信号が検出されたときに該導出操作に対応する前記可変表示領域の表示結果を導出させる制御を行う導出制御手段と、
前記試験用導出操作信号の入力の態様を指示する推奨導出操作態様信号を前記試験装置に対して出力するための制御を行う推奨導出操作態様信号出力制御手段と、
複数種類の遊技状態のうちから少なくともいずれか１つの遊技状態に制御する遊技状態制御手段と、
を備え、
前記複数種類の遊技状態のうちの特定遊技状態では、前記試験用導出操作信号の入力の態様が特定の導出操作手順での導出操作を示すときに、該特定の導出操作手順とは異なる導出操作手順での導出操作を示すときよりも遊技者にとって有利となる制御が行われ、
前記推奨導出操作態様信号出力制御手段は、
前記特定遊技状態において前記特定の導出操作手順での導出操作を示す態様の前記試験用導出操作信号の入力を指示する推奨導出操作態様信号を、前記試験装置に対して出力するための制御を行い、
前記事前決定手段により第１の入賞の発生を許容する旨と該第１の入賞よりも遊技者にとって有利な第２の入賞の発生を許容する旨が同時に決定された場合に、前記第１の入賞を発生させる第１の導出操作手順及び前記第２の小役を発生させる第２の導出操作手順のうち前記第２の導出操作手順での導出操作を示す態様の前記試験用導出操作信号の入力を指示する推奨導出操作態様信号を、前記試験装置に対して出力するための制御を行い、
前記複数の可変表示領域のそれぞれは、ステッピングモータにて回動するリールにて構成されており、
前記スロットマシンは、前記ステッピングモータの現在のステップ数である該ステッピングモータの基準位置からの経過ステップ数が特定可能なステップ数特定信号として該ステッピングモータの基準位置検出信号と該ステッピングモータの駆動信号とを前記試験装置に対して出力するための制御を行うステップ数特定信号出力制御手段を備え、
前記推奨導出操作態様信号出力制御手段は、前記推奨導出操作態様信号として、表示結果を導出させる前記複数の可変表示領域の導出順序を指定するための可変表示装置指定信号と、当該複数の可変表示領域それぞれの前記試験用導出操作信号の出力タイミングに対応する前記ステッピングモータの前記基準位置からの経過ステップ数を特定可能な導出操作実行位置信号と、を出力するための制御を行う
ことを特徴とするスロットマシン。
【請求項２】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされ、ゲームの試験を行う際に接続される試験装置からの試験用信号の入力に基づき自動的にゲームを行うことが可能なスロットマシンであって、
付与された遊技用価値の数を示す付与遊技用価値信号を前記試験装置に対して出力するための制御を行う付与遊技用価値信号出力制御手段と、
少なくともいずれか１つの可変表示領域の表示結果が導出される前に、入賞の発生を許容するか否かを決定する事前決定手段と、
前記事前決定手段により特定の決定がなされたときに、該特定の決定がなされた旨を特定可能な決定種類報知を行う決定種類報知手段と、
導出操作を示す試験用導出操作信号が検出されたときに該導出操作に対応する前記可変表示領域の表示結果を導出させる制御を行う導出制御手段と、
前記試験用導出操作信号の入力の態様を指示する推奨導出操作態様信号を前記試験装置に対して出力するための制御を行う推奨導出操作態様信号出力制御手段と、
を備え、
前記導出制御手段は、前記事前決定手段により前記特定の決定がなされ、該決定に対応する前記特定の導出操作手順での導出操作を示す態様で前記試験用導出操作信号が入力されたときに前記複数の可変表示領域の表示結果の組み合わせとして特定種類の表示結果の組み合わせを導出させる制御を行い、該決定に対応する前記特定の導出操作手順とは異なる導出操作手順での導出操作を示す態様で試験用導出操作信号が入力されたときに前記複数の可変表示領域の表示結果の組み合わせとして前記特定種類の表示結果の組み合わせとは異なる種類の表示結果の組み合わせを導出させる制御を行う特定導出制御手段を含み、
前記特定種類の表示結果の組み合わせが導出されたときに、前記特定種類の表示結果の組み合わせとは異なる種類の表示結果の組み合わせが導出されたときよりも遊技者にとって有利となる制御が行われ、
前記推奨導出操作態様信号出力制御手段は、前記事前決定手段により前記特定の決定がなされ前記決定種類報知が行われたときに、該決定に対応する前記特定の導出操作手順での導出操作を示す態様の試験用導出操作信号の入力を指示する推奨導出操作態様信号を前記試験装置に対して出力するための制御を行い、
前記事前決定手段により第１の入賞の発生を許容する旨と該第１の入賞よりも遊技者にとって有利な第２の入賞の発生を許容する旨が同時に決定された場合に、前記第１の入賞を発生させる第１の導出操作手順及び前記第２の小役を発生させる第２の導出操作手順のうち前記第２の導出操作手順での導出操作を示す態様の前記試験用導出操作信号の入力を指示する推奨導出操作態様信号を、前記試験装置に対して出力するための制御を行い、
前記複数の可変表示領域のそれぞれは、ステッピングモータにて回動するリールにて構成されており、
前記スロットマシンは、前記ステッピングモータの現在のステップ数である該ステッピングモータの基準位置からの経過ステップ数が特定可能なステップ数特定信号として該ステッピングモータの基準位置検出信号と該ステッピングモータの駆動信号とを前記試験装置に対して出力するための制御を行うステップ数特定信号出力制御手段を備え、
前記推奨導出操作態様信号出力制御手段は、前記推奨導出操作態様信号として、表示結果を導出させる前記複数の可変表示領域の導出順序を指定するための可変表示装置指定信号と、当該複数の可変表示領域それぞれの前記試験用導出操作信号の出力タイミングに対応する前記ステッピングモータの前記基準位置からの経過ステップ数を特定可能な導出操作実行位置信号と、を出力するための制御を行う
ことを特徴とするスロットマシン。
【手続補正２】
【補正対象書類名】明細書
【補正対象項目名】０００７
【補正方法】変更
【補正の内容】
【０００７】
上記課題を解決するために、本発明の請求項１に記載のスロットマシンは、
各々が識別可能な複数種類の図柄を変動表示可能な複数の可変表示領域（リール２Ｌ、２Ｃ、２Ｒ）のそれぞれに表示結果を導出させることが可能な可変表示装置を備え、
遊技用価値（メダル）を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされ、ゲームの試験を行う際に接続される試験装置（試験装置１３００）からの試験用信号の入力に基づき自動的にゲームを行うことが可能なスロットマシン（スロットマシン１）であって、
付与された遊技用価値の数を示す付与遊技用価値信号（払出カウント信号）を前記試験装置（試験装置１３００）に対して出力するための制御を行う付与遊技用価値信号出力制御手段と、
導出操作を示す試験用導出操作信号（リールストップスイッチ信号）が検出されたときに該導出操作に対応する前記可変表示領域（リール２Ｌ、２Ｃ、２Ｒ）の表示結果を導出させる制御を行う導出制御手段と、
前記試験用導出操作信号（リールストップスイッチ信号）の入力の態様（停止順、停止タイミング）を指示する推奨導出操作態様信号（停止実行位置信号、停止リール指定信号）を前記試験装置（試験装置１３００）に対して出力するための制御を行う推奨導出操作態様信号出力制御手段と、
複数種類の遊技状態（通常遊技状態、ＲＴなど）のうちから少なくともいずれか１つの遊技状態に制御する遊技状態制御手段と、
を備え、
前記複数種類の遊技状態のうちの特定遊技状態（ＲＴ（９））では、前記試験用導出操作信号（リールストップスイッチ信号）の入力の態様が特定の導出操作手順（白チェリーを入賞させない操作手順）での導出操作を示すときに、該特定の導出操作手順とは異なる導出操作手順（白チェリーを入賞させる操作手順）での導出操作を示すときよりも遊技者にとって有利となる制御が行われ、
前記推奨導出操作態様信号出力制御手段は、前記特定遊技状態（ＲＴ（９））において前記特定の導出操作手順（白チェリーを入賞させない操作手順）での導出操作を示す態様の前記試験用導出操作信号（リールストップスイッチ信号）の入力を指示する推奨導出操作態様信号（停止実行位置信号、停止リール指定信号）を前記試験装置（試験装置１３００）に対して出力するための制御を行い、
前記事前決定手段により第１の入賞の発生を許容する旨と該第１の入賞よりも遊技者にとって有利な第２の入賞の発生を許容する旨が同時に決定された場合に、前記第１の入賞を発生させる第１の導出操作手順及び前記第２の小役を発生させる第２の導出操作手順のうち前記第２の導出操作手順での導出操作を示す態様の前記試験用導出操作信号の入力を指示する推奨導出操作態様信号を、前記試験装置に対して出力するための制御を行い、
前記複数の可変表示領域のそれぞれは、ステッピングモータ（リールモータ３２Ｌ、３２Ｃ、３２Ｒ）にて回動するリール（リール２Ｌ、２Ｃ、２Ｒ）にて構成されており、
前記スロットマシンは、前記ステッピングモータの現在のステップ数である該ステッピングモータの基準位置からの経過ステップ数が特定可能なステップ数特定信号（停止実行位置信号）として該ステッピングモータの基準位置検出信号と該ステッピングモータの駆動信号とを前記試験装置（試験装置１３００）に対して出力するための制御を行うステップ数特定信号出力制御手段を備え、
前記推奨導出操作態様信号出力制御手段は、前記推奨導出操作態様信号として、表示結果を導出させる前記複数の可変表示領域の導出順序を指定するための可変表示装置指定信号と、当該複数の可変表示領域それぞれの前記試験用導出操作信号（リールストップスイッチ信号）の出力タイミングに対応する前記ステッピングモータの前記基準位置からの経過ステップ数を特定可能な導出操作実行位置信号（停止実行位置信号）と、を出力するための制御を行う
ことを特徴としている。
この特徴によれば、遊技者にとって有利な導出操作手順が存在する特定遊技状態においては、この特定遊技状態において有利となる特定の導出操作手順での導出操作を示す態様の推奨導出操作態様信号を試験装置に対して出力するので、試験装置側で遊技状態に応じて遊技者にとって有利となる導出操作手順での導出操作を示す態様にて試験用導出操作信号を出力することが可能となり、試験装置による試験によって市場における遊技用価値の付与率に近い付与率を得ることができる。
【手続補正３】
【補正対象書類名】明細書
【補正対象項目名】０００８
【補正方法】変更
【補正の内容】
【０００８】
本発明の手段１に記載のスロットマシンは、請求項１に記載のスロットマシンであって、
前記可変表示装置（リール２Ｌ、２Ｃ、２Ｒ）の表示結果が導出される前に入賞の発生を許容するか否かを決定する事前決定手段（内部抽選）と、
前記事前決定手段により特定の決定（黒チェリー、網チェリー、白チェリー）がなされたときに、該特定の決定がなされた旨を特定可能な決定種類報知（転落役種類報知、小役告知演出）を行う決定種類報知手段と、
前記導出制御手段は、前記事前決定手段により前記特定の決定（黒チェリー、網チェリー、白チェリー）がなされ、該決定に対応する前記特定の導出操作手順（当選したチェリーのハズシ手順）での導出操作を示す態様で前記試験用導出操作信号（リールストップスイッチ信号）が入力されたときに前記可変表示装置の表示結果として特定種類の表示結果（チェリーのハズレ態様）を導出させる制御を行い、該決定に対応する前記特定の導出操作手順とは異なる導出操作手順（当選したチェリーの入賞手順）での導出操作を示す態様で試験用導出操作信号が入力されたときに前記可変表示装置の表示結果として前記特定種類の表示結果とは異なる種類の表示結果（チェリーの入賞態様）を導出させる制御を行う特定導出制御手段を含み、
前記特定遊技状態（ＲＴ（２））では、前記特定種類の表示結果（チェリーのハズレ態様）が導出されたときに、前記特定種類の表示結果とは異なる種類の表示結果（チェリーの入賞態様）が導出されたときよりも遊技者にとって有利となる制御が行われるとともに、
前記特定遊技状態と異なる遊技状態（通常遊技状態など）では、前記特定種類の表示結果とは異なる種類の表示結果（チェリーの入賞態様）が導出されたときに、前記特定種類の表示結果（チェリーのハズレ態様）が導出されたときよりも遊技者にとって有利となる制御が行われ、
前記推奨導出操作態様信号出力手段は、
前記特定遊技状態（ＲＴ（２））では、前記事前決定手段により前記特定の決定（黒チェリー、網チェリー、白チェリー）がなされ前記決定種類報知（転落役種類報知）が行われたときに、該決定に対応する前記特定の導出操作手順（当選したチェリーのハズシ手順）での導出操作を示す態様の試験用導出操作信号（リールストップスイッチ信号）の入力を指示する推奨導出操作態様信号（停止実行位置信号、停止リール指定信号）を前記試験装置（試験装置１３００）に対して出力するための制御を行い、
前記特定遊技状態と異なる遊技状態（通常遊技状態など）では、前記事前決定手段により前記特定の決定（黒チェリー、網チェリー、白チェリー）がなされ前記決定種類報知（小役告知演出）が行われたときに、該決定に対応する前記特定の導出操作手順とは異なる導出操作手順（当選したチェリーの入賞手順）での導出操作を示す態様の試験用導出操作信号（リールストップスイッチ信号）の入力を指示する推奨導出操作態様信号（停止実行位置信号、停止リール指定信号）を前記試験装置（試験装置１３００）に対して出力するための制御を行う
ことを特徴とする。
この特徴によれば、決定種類報知が行われた際に、遊技状態に応じて遊技者にとって有利な導出操作手順が異なる場合でも、その遊技状態において有利となる導出操作手順での導出操作を示す態様の推奨導出操作態様信号を試験装置に対して出力するので、同じ決定結果が特定される決定種類報知が行われた場合であっても試験装置側で遊技状態に応じて遊技者にとって有利となる導出操作手順での導出操作を示す態様にて試験用導出操作信号を出力することが可能となり、試験装置による試験によって市場における遊技用価値の付与率に近い付与率を得ることができる。
【手続補正４】
【補正対象書類名】明細書
【補正対象項目名】０００９
【補正方法】変更
【補正の内容】
【０００９】
本発明の手段２に記載のスロットマシンは、手段１に記載のスロットマシンであって、
前記特定導出制御手段は、前記事前決定手段により前記特定の決定（黒チェリー、網チェリー、白チェリー）がなされ、該決定に対応する特定のタイミング（当選したチェリーの引込範囲外）での導出操作を示す態様で前記試験用導出操作信号（リールストップスイッチ信号）が入力されたときに前記可変表示装置の表示結果として前記特定種類の表示結果（チェリーのハズレ態様）を導出させる制御を行い、該決定に対応する前記特定のタイミングとは異なるタイミング（当選したチェリーの引込範囲）での導出操作を示す態様で試験用導出操作信号（リールストップスイッチ信号）が入力されたときに前記可変表示装置の表示結果として前記特定種類の表示結果とは異なる種類の表示結果（チェリーの入賞態様）を導出させる制御を行い、
前記特定遊技状態（ＲＴ（２））は遊技者にとって有利な遊技状態であり、該特定遊技状態（ＲＴ（２））では、前記事前決定手段により前記特定の決定（黒チェリー、網チェリー、白チェリー）がなされ、前記特定種類の表示結果とは異なる種類の表示結果（チェリーの入賞態様）が導出されたときに当該特定遊技状態（ＲＴ（２））を終了させる制御が行われ、
前記推奨導出操作態様信号出力手段は、前記特定遊技状態（ＲＴ（２））では、前記事前決定手段により前記特定の決定（黒チェリー、網チェリー、白チェリー）がなされ前記決定種類報知（転落役種類報知）が行われたときに、該決定に対応する前記特定のタイミング（当選したチェリーの引込範囲外）での導出操作を示す態様の試験用導出操作信号（リールストップスイッチ信号）の入力を指示する推奨導出操作態様信号（停止実行位置信号、停止リール指定信号）を前記試験装置（試験装置１３００）に対して出力するための制御を行う
ことを特徴とする。
この特徴によれば、１ゲームで見れば、特定種類の表示結果とは異なる種類の表示結果が導出されたときの方が特定種類の表示結果が導出されたときに比較して多くの価値が得られる、または特定種類の表示結果が導出された場合と特定種類の表示結果とは異なる種類の表示結果が導出された場合とで得られる価値が同等であるが、長期的に見ると、特定種類の表示結果を導出させて特定遊技状態を継続させた方が多くの価値を得られる場合でも、試験装置による試験によって市場における遊技用価値の付与率に近い付与率を得ることができる。
また、特定遊技状態における遊技者の操作タイミング、すなわち遊技者の技術介入によって特定遊技状態の継続ゲーム数が変化するので、特定遊技状態において遊技者は緊張感を持って遊技を行う必要があり、特定遊技状態の興趣を高めることができる。
【手続補正５】
【補正対象書類名】明細書
【補正対象項目名】００１０
【補正方法】変更
【補正の内容】
【００１０】
本発明の請求項２に記載のスロットマシンは、
各々が識別可能な複数種類の図柄を変動表示可能な複数の可変表示領域（リール２Ｌ、２Ｃ、２Ｒ）のそれぞれに表示結果を導出させることが可能な可変表示装置を備え、
遊技用価値（メダル）を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされ、ゲームの試験を行う際に接続される試験装置（試験装置１３００）からの試験用信号の入力に基づき自動的にゲームを行うことが可能なスロットマシン（スロットマシン１）であって、
付与された遊技用価値の数を示す付与遊技用価値信号（払出カウント信号）を前記試験装置（試験装置１３００）に対して出力するための制御を行う付与遊技用価値信号出力制御手段と、
少なくともいずれか１つの可変表示領域（リール２Ｌ、２Ｃ、２Ｒ）の表示結果が導出される前に、前記可変表示装置の表示結果が導出される前に入賞の発生を許容するか否かを決定する事前決定手段（内部抽選）と、
前記事前決定手段により特定の決定（黒チェリー、網チェリー、白チェリー）がなされたときに、該特定の決定がなされた旨を特定可能な決定種類報知（転落役種類報知、小役告知演出）を行う決定種類報知手段と、
導出操作を示す試験用導出操作信号（リールストップスイッチ信号）が検出されたときに該導出操作に対応する前記可変表示領域（リール２Ｌ、２Ｃ、２Ｒ）の表示結果を導出させる制御を行う導出制御手段と、
前記試験用導出操作信号（リールストップスイッチ信号）の入力の態様（停止順、停止タイミング）を指示する推奨導出操作態様信号（停止実行位置信号、停止リール指定信号）を前記試験装置（試験装置１３００）に対して出力するための制御を行う推奨導出操作態様信号出力制御手段と、
を備え、
前記導出制御手段は、前記事前決定手段により前記特定の決定（黒チェリー、網チェリー、白チェリー）がなされ、該決定に対応する前記特定の導出操作手順（当選したチェリーのハズシ手順）での導出操作を示す態様で前記試験用導出操作信号（リールストップスイッチ信号）が入力されたときに前記複数の可変表示領域の表示結果の組み合わせとして特定種類の表示結果の組み合わせ（チェリーのハズレ態様）を導出させる制御を行い、該決定に対応する前記特定の導出操作手順とは異なる導出操作手順（当選したチェリーの入賞手順）での導出操作を示す態様で試験用導出操作信号が入力されたときに前記複数の可変表示領域の表示結果の組み合わせとして前記特定種類の表示結果の組み合わせとは異なる種類の表示結果の組み合わせ（チェリーの入賞態様）を導出させる制御を行う特定導出制御手段を含み、
前記特定種類の表示結果の組み合わせ（チェリーのハズレ態様）が導出されたときに、前記特定種類の表示結果の組み合わせとは異なる種類の表示結果の組み合わせ（チェリーの入賞態様）が導出されたときよりも遊技者にとって有利となる制御が行われ、
前記事前決定手段により前記特定の決定（黒チェリー、網チェリー、白チェリー）がなされ前記決定種類報知（転落役種類報知）が行われたときに、該決定に対応する前記特定の導出操作手順（当選したチェリーのハズシ手順）での導出操作を示す態様の試験用導出操作信号（リールストップスイッチ信号）の入力を指示する推奨導出操作態様信号（停止実行位置信号、停止リール指定信号）を前記試験装置（試験装置１３００）に対して出力するための制御を行い、
前記事前決定手段により第１の入賞の発生を許容する旨と該第１の入賞よりも遊技者にとって有利な第２の入賞の発生を許容する旨が同時に決定された場合に、前記第１の入賞を発生させる第１の導出操作手順及び前記第２の小役を発生させる第２の導出操作手順のうち前記第２の導出操作手順での導出操作を示す態様の前記試験用導出操作信号の入力を指示する推奨導出操作態様信号を、前記試験装置に対して出力するための制御を行い、
前記複数の可変表示領域のそれぞれは、ステッピングモータ（リールモータ３２Ｌ、３２Ｃ、３２Ｒ）にて回動するリール（リール２Ｌ、２Ｃ、２Ｒ）にて構成されており、
前記スロットマシンは、前記ステッピングモータの現在のステップ数である該ステッピングモータの基準位置からの経過ステップ数が特定可能なステップ数特定信号（停止実行位置信号）として該ステッピングモータの基準位置検出信号と該ステッピングモータの駆動信号とを前記試験装置（試験装置１３００）に対して出力するための制御を行うステップ数特定信号出力制御手段を備え、
前記推奨導出操作態様信号出力制御手段は、前記推奨導出操作態様信号として、表示結果を導出させる前記複数の可変表示領域の導出順序を指定するための可変表示装置指定信号と、当該複数の可変表示領域それぞれの前記試験用導出操作信号（リールストップスイッチ信号）の出力タイミングに対応する前記ステッピングモータの前記基準位置からの経過ステップ数を特定可能な導出操作実行位置信号（停止実行位置信号）と、を出力するための制御を行う
ことを特徴とする。
この特徴によれば、決定種類報知が行われた際に、遊技者が選択し得る導出操作手順が複数存在する場合でも、そのうち有利となる導出操作手順での導出操作を示す態様の推奨導出操作態様信号を試験装置に対して出力するので、決定種類報知が行われた際に、遊技者が選択し得る導出操作手順が複数存在する場合であっても試験装置側で遊技者にとって有利となる導出操作手順での導出操作を示す態様にて試験用導出操作信号を出力することが可能となり、試験装置による試験によって市場における遊技用価値の付与率に近い付与率を得ることができる。
【手続補正６】
【補正対象書類名】明細書
【補正対象項目名】００１１
【補正方法】変更
【補正の内容】
【００１１】
尚、請求項１、２において所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、請求項１、２に記載のスロットマシンは、試験装置に対して出力される試験信号を出力するための制御、試験装置側から入力される試験用信号を検出するための制御を行うものであれば良く、試験信号、試験用信号の信号線やこれら信号線を試験装置に接続するためのコネクタ、試験信号、試験用信号を伝達するための配線パターン等を備えていないものであっても良い。
また、請求項１、２において導出操作手順とは、予め定められた複数の操作タイミングから操作タイミングを選択できる場合にはこれら操作タイミングが該当し、複数の可変表示領域に対して表示結果の導出順を選択できる場合にはこれら導出順も該当する。また、操作タイミングと導出順の双方を選択できる場合には、操作タイミング及び導出順の双方が該当する。
また、請求項１、２において遊技者にとって有利となる制御とは、複数ゲームでみた場合に遊技者にとって有利となる制御であり、そのゲームのみでは、有利度が低い（付与される価値が低い）場合、または有利度が同等（付与される価値が同等）の場合であっても、複数ゲームでみた場合に遊技者にとっての有利度が高い場合には、複数ゲームでみた場合に有利度の高い方の制御が遊技者にとって有利となる制御となる。
【手続補正７】
【補正対象書類名】明細書
【補正対象項目名】００１２
【補正方法】変更
【補正の内容】
【００１２】
本発明の手段３に記載のスロットマシンは、請求項２、手段１または２のいずれかに記載のスロットマシンであって、
前記推奨導出操作態様信号出力制御手段は、前記決定種類報知手段が前記決定種類報知（転落役種類報知、小役告知演出）を行うときに限り前記推奨導出操作態様信号（停止実行位置信号、停止リール指定信号）を前記試験装置（試験装置１３００）に対して出力するための制御を行う
ことを特徴とする。
この特徴によれば、決定種類報知が行われていないとき、すなわち遊技者が実際に遊技を行った際に特に有利な導出操作手順を特定できない場合には、推奨導出操作態様信号を出力するための制御、特に推奨導出操作態様信号を出力するにあたり、複数の導出操作手順から有利な導出操作手順を選択する制御を省くことが可能となるため、これら推奨導出操作態様信号の出力制御に係る制御負荷を軽減できる。
【手続補正８】
【補正対象書類名】明細書
【補正対象項目名】００１３
【補正方法】変更
【補正の内容】
【００１３】
本発明の手段４に記載のスロットマシンは、手段３に記載のスロットマシンであって、
前記決定種類報知手段が前記決定種類報知を行わないときに、任意の導出操作手順での導出操作を示す態様の試験用導出操作信号の入力を指示する任意導出操作態様信号を前記試験装置に対して出力するための制御を行う任意導出操作態様信号出力制御手段を備える
ことを特徴とする。
この特徴によれば、全てのゲームにおいて推奨導出操作態様信号または任意導出操作態様信号のいずれかが出力されるため、試験装置側で、推奨導出操作態様信号または任意導出操作態様信号の検出を条件に試験用導出操作信号の出力を開始できるようになり、試験用導出操作信号の出力タイミングをスロットマシンの状態に合わせて最適化することができる。
【手続補正９】
【補正対象書類名】明細書
【補正対象項目名】００１４
【補正方法】変更
【補正の内容】
【００１４】
本発明の手段５に記載のスロットマシンは、請求項２、手段１または２のいずれかに記載のスロットマシンであって、
前記推奨導出操作態様信号出力制御手段は、前記決定種類報知手段が前記決定種類報知（転落役種類報知、小役告知演出）を行わないときに、当該ゲームにおいて定められた有利な導出操作手順での導出操作を示す態様の試験用導出操作信号（リールストップスイッチ信号）の入力を指示する推奨導出操作態様信号（停止実行位置信号、停止リール指定信号）を前記試験装置（試験装置１３００）に対して出力するための制御を行う
ことを特徴とする。
この特徴によれば、決定種類報知が行われていないとき、すなわち遊技者が実際に遊技を行った際に特に有利な導出操作手順を特定できない場合であっても、遊技者が選択し得る導出操作手順によって遊技者にとっての有利度が変わる場合には、そのうちの遊技者にとって有利となる導出操作手順を示す態様にて試験用導出操作信号を出力することが可能となり、試験装置による試験によって市場における遊技用価値の付与率のうち最も高い付与率を得ることができる。
尚、当該ゲームにおいて定められた有利な導出操作手順とは、事前決定手段の決定結果を特定できない場合に、事前決定手段による決定確率や図柄の配列などを考慮した場合に、有利な表示結果が導出される割合の高い導出操作手順であり、例えば、取りこぼしの生じる入賞を発生させることが可能な導出操作手順、取りこぼしの生じる入賞のうち該入賞の発生が許容される割合、該入賞によって付与される価値などから割り出される付与期待値が最も高い入賞を発生させることが可能な導出操作手順、取りこぼしの生じる入賞のうち複数の入賞を発生させることが可能な導出操作手順などが該当する。
【手続補正１０】
【補正対象書類名】明細書
【補正対象項目名】００１５
【補正方法】削除
【補正の内容】